(57)【要約】      （修正有）【課題】全体の造形時間を短縮することができる、少なくとも１つの三次元物体付加製造装置を備えるプラントを提供する。【解決手段】少なくとも１つの三次元物体の付加製造装置（１）を備えるプラント（２）であって、前記付加製造装置（１）に別々に接続されるか接続可能な少なくとも１つのモジュール（６）を備えるプラント（２）において、前記少なくとも１つのモジュール（６）が、前記付加製造装置（１）に向かうロード方向、および、前記付加製造装置（１）から出るアンロード方向に移動可能であり、前記モジュール（６）が、前記ロード方向に沿って加工位置（11）に移動され、且つ、前記アンロード方向に沿って前記加工位置（11）から移動され、前記ロード方向およびアンロード方向は、同じ方向に延びる少なくとも１つの方向成分を含む。【選択図】図２
2019171847.tif 000002
【特許請求の範囲】
【請求項１】
エネルギー源により硬化させることができる造形材料の層を連続的に層ごとに選択照射して硬化させる少なくとも１つの三次元物体の付加製造装置（１）を備えるプラント（２）であって、前記付加製造装置（１）に別々に接続されるか接続可能な少なくとも１つのモジュール（６，12，13，14）を備えるプラント（２）において、前記少なくとも１つのモジュール（６，12，13，14）が、前記付加製造装置（１）に向かうロード方向（９）、および、前記付加製造装置（１）から出るアンロード方向（10）に移動可能であり、前記モジュール（６，12，13，14）が、前記ロード方向（９）に沿って加工位置（11）に移動され、且つ、前記アンロード方向（10）に沿って前記加工位置（11）から移動され、前記ロード方向（９）およびアンロード方向（10）は、同じ方向に延びる少なくとも１つの方向成分（22）を含むことを特徴とするプラント（２）。
【請求項２】
前記ロード方向（９）およびアンロード方向（10）が、湾曲経路および／または整列角度（15）を示し、特に当該角度が鈍角であって９０°〜１８０度の間であり、特に１８０°であることを特徴とする請求項１に記載のプラント。
【請求項３】
前記ロード方向（９）およびアンロード方向（10）が、少なくとも１つの塗布ユニットが少なくとも１つの前記付加製造装置（１）の造形面上に造形材料を供給するために動かされる塗布方向とともに塗布角度を示し、特に前記塗布角度は６０°〜１４０°の間であって特に９０°であることを特徴とする請求項１または２に記載のプラント。
【請求項４】
前記少なくとも１つの付加製造装置（１）が、前記前記ロード方向（９）およびアンロード方向（10）に延び、異なるモジュール（６，12，13，14）であって特に粉末モジュール（６，12，13，14）がロードされる少なくとも３つのレーン（３，４，５）を備え、前記モジュール（６，12，13，14）は、ドーズレーン（３）上のドーズモジュール（12）、造形レーン（４）上の造形モジュール（13）、および、オーバーフローレーン（５）上のオーバーフローモジュール（14）であることを特徴とする請求項１〜３のいずれか１項に記載のプラント。
【請求項５】
前記ロード方向（９）およびアンロード方向（10）が、レーン（３，４，５）のうち少なくとも２つの（３，４，５）に対して異なる方向または同じ方向であることを特徴とする請求項１〜４のいずれか１項に記載のプラント。
【請求項６】
ドーズレーン（３）上のドーズモジュール（12）の移動方向が、造形レーン（４）上の造形モジュール（13）の移動方向、および／または、オーバーフローレーン（５）上のオーバーフローモジュール（14）の移動方向と逆方向であることを特徴とする請求項１〜５のいずれか１項に記載のプラント。
【請求項７】
レーン（３，４，５）のうち少なくと１つのレーン（３，４，５）が、前記ロード方向（９）および／またはアンロード方向（10）のバッファレーン（16，17）に接続され、前記バッファレーン（16，17）が前記レーン（３，４，５）の前または後に前記少なくとも１つのモジュール（６，12，13，14）を蓄えるように構成されることを特徴とする請求項１〜６のいずれか１項に記載のプラント。
【請求項８】
前記プラント（２）が複数の前記付加製造装置（１）を備え、少なくとも２つの付加製造装置（１）が直列に配置され、１つのレーンが２つの前記付加製造装置（１）における２つの対応する前記加工位置（11）を接続することを特徴とする請求項１〜７のいずれか１項に記載のプラント。
【請求項９】
前記プラント（２）が複数の前記付加製造装置（１）を備え、少なくとも２つの付加製造装置（１）が並列に配置されることを特徴とする請求項１〜８のいずれか１項に記載のプラント。
【請求項１０】
少なくとも１つの前記付加製造装置（１）が少なくとも１つのレーン（３，４，５）を介して少なくとも１つの前処理装置および／または後処理装置（18）に接続され、前記少なくとも１つのモジュール（６，12，13，14）が、前記少なくとも１つのレーン（３，４，５）に沿って前記前処理装置および／または後処理装置（18）から前記付加製造装置（１）の前記加工位置（11）に、および／または、前記付加製造装置（１）の前記加工位置（11）から前記前処理装置および／または後処理装置（18）に移動可能であることを特徴とする請求項１〜９のいずれか１項に記載のプラント。
【請求項１１】
少なくとも１つの前処理装置および／または後処理装置（18）が直列に配置された２つの前記付加製造装置（１）の間に配置されることを特徴とする請求項１〜１０のいずれか１項に記載のプラント。
【請求項１２】
少なくとも１つの前処理装置および／または後処理装置（18）が、新たなモジュール（６，12，13，14）を供給し、使用済みモジュール（６，12，13，14）を放出するための１つの行路（19）を備え、または、少なくとも１つの前処理装置および／または後処理装置（18）が、新たなモジュール（６，12，13，14）を供給するための１つの供給行路（19）と、使用済みモジュール（６，12，13，14）を放出するための１つの放出行路（19）とを備えることを特徴とする請求項１〜１１のいずれか１項に記載のプラント。
【請求項１３】
少なくとも１つの前記付加製造装置（１）の少なくとも１つの実用ユニット（21）が少なくとも１つのレーンに隣接して配置されることを特徴とする請求項１〜１２のいずれか１項に記載のプラント。
【請求項１４】
エネルギー源により硬化させることができる造形材料の層を、連続的に層ごとに選択照射して硬化させる三次元物体の付加製造装置（１）であって、特に請求項１〜１３のいずれか１項に記載のプラント（２）のための付加製造装置（１）であり、少なくとも１つのモジュール（６，12，13，14）が、前記付加製造装置（１）に別々に接続されているか接続可能である付加製造装置（１）において、前記少なくとも１つのモジュール（６，12，13，14）が、前記付加製造装置（１）に向けてロード方向（９）に、および、前記付加製造装置（１）から出てアンロード方向（10）に移動可能であり、前記モジュール（６，12，13，14）は、前記ロード方向（９）に沿って加工位置（11）に移動され、且つ、前記アンロード方向（10）に沿って前記加工位置（11）から出て移動され、前記ロード方向（９）およびアンロード方向（10）は、同じ方向に延びる方向成分（22）を含むことを特徴とする付加製造装置（１）。
【請求項１５】
少なくとも１つのプラント（２）を稼働するための方法であって、前記プラント（２）は、エネルギー源により硬化させることができる造形材料の層を、連続的に層ごとに選択照射して硬化させる、少なくとも１つの三次元物体の付加製造装置（１）を備え、前記プラント（２）は、前記付加製造装置（１）に別々に接続されるか接続可能な少なくとも１つのモジュール（６，12，13，14）を備える方法において、前記少なくとも１つのモジュール（６，12，13，14）は、前記付加製造装置（１）内へ向かうロード方向（９）、および、前記付加製造装置（１）から出るアンロード方向（10）に移動可能か移動され、前記モジュール（６，12，13，14）は、前記ロード方向（９）に沿って加工位置（11）に移動され、且つ、前記アンロード方向（10）に沿って前記加工位置（11）から移動され、前記ロード方向（９）およびアンロード方向（10）は、同じ方向に延びる方向成分（22）を含むことを特徴とする少なくとも１つのプラント（２）を稼働するための方法。
【発明の詳細な説明】
【技術分野】
【０００１】
本発明は、エネルギー源により硬化させることができる造形材料の層を連続的に層ごとに選択照射して硬化させることにより三次元物体を付加製造する少なくとも１つの装置を備えるプラント（設備）に関し、当該プラントは、装置に別々に接続されるか、接続可能な少なくとも１つのモジュールを備える。
【背景技術】
【０００２】
三次元物体付加製造装置を備えるプラントは、先行技術により通常知られている。典型的には、（粉末状の）造形材料が、エネルギー源を用いて、例えばエネルギービームによる照射および硬化により、硬化される。よって、造形材料は、付加製造工程で作られる物体の物体データに対応して、選択的および層ごとに硬化される。
【０００３】
さらに、例えば、少なくとも１つの装置に造形材料を供給したり、過剰な造形材料を受け取ったり、または三次元物体が付加造形される造形チャンバーを提供するために、モジュールを使用することが先行技術により周知である。各モジュールは、割り当てられたタスクを実行するために、装置に別々に接続されるか、接続可能とすることができる。付加製造工程が終了した後、または、例えば各モジュールのドーズ（投与）チャンバーが空になったり、オーバーフローチャンバーが満タンになったりして、モジュールを変更しなければならない場合、それぞれのモジュールを装置から外して、例えば別の「新たな」未使用のモジュールを接続することができる。
【０００４】
使用中のモジュールは、装置から分離して後処理ステーションに移動しなければならず、装置の稼働停止時間を最小限にするために余裕を持って「新たな」モジュールを装置まで運ばなければならないので、比較的高度な物流の取り組みが要求される。「新たな」モジュールを装置で使用する準備ができていないと、装置の稼働停止時間が全体の造形時間を増加させる結果となる。
【発明の概要】
【発明が解決しようとする課題】
【０００５】
本発明の目的は、プロセス障害を改善し、特に全体の造形時間を短縮することができる、すなわち稼働停止時間を短縮または防止することができる、少なくとも１つの三次元物体付加製造装置を備えるプラントを提供することである。
【０００６】
本目的は、請求項１に係る本発明のプラントにより達成される。本発明の有益な実施形態は従属請求項の対象となる。
【課題を解決するための手段】
【０００７】
本明細書で述べるプラントは、エネルギービーム、特にレーザービームまたは電子ビームにより硬化させることができる粉末造形材料（「造形材料」）の層を、連続して層ごとに硬化することにより、技術的な構成要素等の三次元物体を付加製造する少なくとも１つの付加製造装置を備える。前記各造形材料は、金属粉末、セラミック粉末またはポリマー粉末からなる。前記各エネルギービームは、レーザービームまたは電子ビームからなる。前記各装置は、造形材料の塗布と造形材料の硬化とを別々に行う装置とすることができ、例えば、選択式レーザー焼結装置や選択的レーザー溶融装置、選択的電子ビーム溶融装置等が挙げられる。別な形態として、造形材料の連続した層ごとの選択的硬化は、少なくとも１つの結合材を用いて行うことができる。前記結合材は、対応塗布ユニットで塗布してもよく、例えば、紫外線源等の適切なエネルギー源で照射してもよい。
【０００８】
前記装置は、その稼働時に使用される複数の機能ユニットを備えてもよい。前記機能ユニットは、処理チャンバー、照射装置およびストリーム生成装置である。前記照射装置は、処理チャンバー内に配置された造形材料層に、少なくとも１つのエネルギービームを選択的に照射するように構成される。前記ストリーム生成装置は、少なくとも一部が、例えば所定の流動プロファイルや流動速度等の所定の流動特性で、処理チャンバー中を流れるガス状流体ストリームを生成するように構成される。前記ガス状流体ストリームは、処理チャンバーを流れる間、硬化していない微粒子状の造形材料、特に前記装置の稼働中に生成された煙または煙残渣で充満される場合がある。前記ガス状流体ストリームは、通常不活性であり、すなわち典型的には、例えばアルゴンや窒素、二酸化炭素等の不活性ガスのストリームである。
【０００９】
前述のように、前記プラントは、少なくとも１つのモジュール、特に複数のモジュールを備え、前記モジュールは、少なくとも１つの前記装置に別々に接続されることができる。本発明は、前記少なくとも１つのモジュールが、前記装置内へ入るロード方向、および、前記装置から出るアンロード方向に移動可能であるという技術思想に基づいており、前記モジュールは、前記ロード方向に沿って加工位置に移動され、前記アンロード方向に沿って前記加工位置から移動され、前記ロード方向およびアンロード方向は、同じ方向に延びる少なくとも１つの方向成分を含む。同じ方向に延びる少なくとも１つの方向成分とは、同じ方向に延びる少なくとも１つの成分からなるベクトル方向、すなわちロード方向とアンロード方向であると理解することができる。例えば、前記ロード方向およびアンロード方向は、同じ平面内で延びてよく、同じ方向または少なくとも一部が異なる方向に延びてもよく、前記アンロード方向およびロード方向の少なくとも１つの成分（ベクトルとして解釈される）が、同じ方向に配列される。
【００１０】
したがって、本発明により、ロードされるモジュールおよびアンロードされるモジュールを、同じ方向に移動させることができ、すなわち、少なくとも、同じ方向に延びる少なくとも１つの方向成分を含む方向に移動させることができる。このようにして、前記モジュールを前記装置から分離し、「新たな」モジュールが加工位置に挿入される経路をたどって、前記モジュールを加工位置から移動させることが必要である。その代り、現在前記加工位置にあるモジュールがアンロードされる方向は、少なくとも、（少なくとも同じ方向に延びる１つの方向成分を有する）同じ方向の定義された部分に延びることができる。これにより、共通方向の「物流」または共通物流方向（一方向の物流）を有することができる。これはアンロードされるモジュールが、もう１つのモジュールが加工位置に移動されながら、別の経路で前記加工位置から取り除かれるので、前記モジュールの流れが共通する１つの方向に向けられることを意味する。したがって、前記物流または前記モジュールの流れは、「一方向」であるとみなすことができる。
【００１１】
したがって、現在加工位置にあるモジュールは、前記アンロード方向に沿って延びるアンロード経路に沿ってアンロードされるので、「ロード方向」は、必ずしも現在加工位置にあるモジュールをアンロードするために確保される必要はなく、加工位置にロードしなければならない「新たな」モジュールは、前記ロード方向に延びるロード経路に沿って移動される。前記ロード経路およびアンロード経路が異なることで、他のモジュールがまだ前記加工位置にありながら、すでに移動している前記「新たな」モジュールを前記ロード経路に沿って移動させることができる。前記付加製造工程が終了するか、前記加工位置内に配置されたモジュールが交換または変更されるとすぐに、前記アンロード方向に沿って延びる前記アンロード経路に沿って各モジュールを移動させることができる。
【００１２】
前記「新たな」モジュールはその後、「使用済み」モジュールの移動経路と干渉することなく配置されることができる。よって、前記新たなモジュールのロードが前記「使用済み」モジュールが前記加工位置から取り除かれるとすぐに実行され、前記使用済みモジュールのためにロード経路を確保しておく必要がないので、装置の稼働停止時間を短縮することができ、その代り、前記「新たな」モジュールは前記ロード経路に沿って移動することができる。したがって、全体の造形時間を短縮することができる。
【００１３】
本発明の前記プラントの好ましい実施形態によれば、前記ロード方向およびアンロード方向は、湾曲経路および／または整列した角度であって、好ましくは９０°〜１８０°の間である鈍角で特に好ましくは１８０°を示すことができる。したがって、前記ロード方向およびアンロード方向に延びる前記ロード経路およびアンロード経路はそれぞれ、前記モジュールを前記加工位置に導き加工位置から案内する経路セグメントを包含し、または前記経路セグメントとして作られてもよい。前記ロード経路およびアンロード経路は、湾曲経路を定義する前記ロード方向およびアンロード方向という点で、一部が湾曲されていてもよい。前記ロード方向およびアンロード方向は真っ直ぐな経路に沿って延びることもでき、前記ロード経路およびアンロード経路は少なくとも一部が真っ直ぐである。当然ながら、前記ロード経路および／またはアンロード経路は少なくとも一部が湾曲または真っ直ぐであってもよく、前記ロード経路は前記加工位置に向かって延び、前記アンロード経路は前記加工位置から離れて延びることができる。
【００１４】
したがって、前記経路セグメントを任意に組み合わせて前記ロード経路およびアンロード経路を形成することができ、前記ロード経路およびアンロード経路は、前記加工位置に接続されているとみなしてもよい。よって、前記ロード経路およびアンロード経路、または、前記ロード方向およびアンロード方向の少なくとも１つのセグメントは、好ましくは鈍角に角度を定義することができる。好ましくは、前記アンロード経路は前記加工位置で前記ロード経路に接続されるのがよく、前記ロード経路およびアンロード経路は真っ直ぐであり、前記ロード方向およびアンロード方向は、前記ロード経路およびアンロード経路が前記加工位置を通って真っ直ぐな経路を形成する点で、１８０°の角度を示す。
【００１５】
さらに、前記ロード方向および／またはアンロード方向は、少なくとも１つの塗布ユニットが少なくとも１つの付加製造装置の造形面上に造形材料を供給するために動かされる塗布方向とともに塗布角度を定義してもよく、特に前記塗布角度は６０°〜１４０°の間であり、好ましくは９０°である。前記塗布方向は、前記三次元物体の付加製造装置の機械軸に沿って延びてもよい。前記機械軸は特に、Ｘ-Ｙ平面、好ましくは前記造形面内に広がることができる。前記塗布方向は、前記付加製造装置の塗布ユニットが移動する方向に沿って延びることができ、塗布ユニットは例えばドーズ平面から前記造形面上に造形材料を分配するリコーターブレードである。
【００１６】
本発明の前記プラントはさらに、少なくとも１つの前記付加製造装置が、前記ロード方向およびアンロード方向に延び、異なるモジュール、特に粉末モジュールをロードすることができる少なくとも３つのレーンを備える点で改善され、好ましくはドーズレーン上でドーズモジュールが、造形レーンで造形モジュールが、オーバーフローレーンでオーバーフローモジュールがロードされる。このようにして、各レーンはそれぞれ、ロード方向またはアンロード方向に沿って延びるロード経路およびアンロード経路からなる。少なくとも３つのレーンは並んで隣り合って作られるのが好ましく、前記レーンの前記ロード経路およびアンロード経路は原則的に平行であることが好ましい。当然ながら、前記各レーンに対して任意のロード方向および／またはアンロード方向を定義することもできる。
【００１７】
各レーンは異なる種類のモジュールに割り当てられるのが好ましく、例えばドーズモジュールは、前記付加製造工程で造形材料を供給するために設けられる。さらに、造形モジュールは、前記三次元物体が付加製造される造形チャンバーを供給するために使用される。また、オーバーフローモジュールは、過剰な造形材料を展開できるように使用される。例えば、それらの種類のモジュールに対して少なくとも１つのレーンが設けられてよく、前記ドーズモジュールはドーズレーン上を移動し、前記造形モジュールは造形レーン上を移動し、前記オーバーフローモジュールはオーバーフローレーン上を移動するようにすることができる。
【００１８】
本発明のプラントの別の実施形態によれば、前記ロード方向およびアンロード方向は、少なくとも２つのレーンに対し、異なっていても同じであってもよい。例えば、前記ドーズモジュールは、ロード方向とアンロード方向とに沿って延びるロード経路とアンロード経路とに沿って移動させてよく、これらの方向は、前記造形モジュールおよび／または前記オーバーフローモジュールに対して定義されるロード方向およびアンロード方向と異なっていてもよい。言い換えると、少なくとも１つの前記モジュールは、対応するレーンに沿って、対応する他のレーン上を移動する少なくとも１つの別のモジュールと比べて異なる方向に移動することができる。
【００１９】
前記ドーズレーン上の前記ドーズモジュールの移動方向は、前記造形レーン上の前記造形モジュールの移動方向、および／または、前記オーバーフローレーン上の前記オーバーフローモジュールの移動方向と正反対であってもよい。このようにして、前記造形モジュールおよび／または前記オーバーフローモジュールは、それらの対応レーン、すなわち前記造形レーンおよびオーバーフローレーン上で第１方向に移動することができ、前記ドーズモジュールは、前記ドーズレーン上を、相反するまたは反対の方向に移動する。これにより、前記ドーズモジュールは通常、前記ドーズモジュールの前記ドーズチャンバーが新たな造形材料で補充される補充ステーションに移動されるのに対し、硬化していない前記造形材料を取り除き、前記オーバーフローモジュールを空にし、および／または、前記造形モジュールで作られた物体を出すために、通常は前記造形モジュールおよび／または前記オーバーフローモジュールが処理ステーションに移動されるので、前記付加製造装置の異なる側面に異なる種類の後処理ステーションを配置することができる。これらの異なる種類のモジュールを異なる方向に移動させることで、処理ステーションおよび／または補充ステーション等の対応する後処理ステーションを異なる方向に配置することができ、各モジュールまたは一種のモジュールを移動させることができる。
【００２０】
少なくとも１つの前記レーンは、ロード方向および／またはアンロード方向で、バッファレーンに接続されてもよく、前記バッファレーンは、少なくとも１つの前記モジュールを、前記レーンの前後で蓄えるように構成される。言い換えると、前記バッファレーンは前記レーンに接続されてよく、すなわち前記レーンは、１つのバッファレーンまたは２つ以上のバッファレーンを備えてもよい。前記バッファレーンは、前記レーンの前記ロード経路および／またはアンロード経路に接続され、例えば、１つ以上の前記モジュールを前記加工位置にロードする前に蓄えたり、前記アンロード経路の後に続いて蓄えたりするため、前記付加製造装置または付加製造工程から移された１つ以上の前記モジュールを蓄えるために、前記バッファレーンは前記ロード経路に先立って配置されてもよい。
【００２１】
このようにして、前記バッファレーン上に少なくとも１つの前記モジュールを蓄えることができ、例えば、前記モジュールは、空のオーバーフローモジュールや満杯のドーズモジュールとして、前記加工位置にロードするために用意される。したがって、すでに用意された前記モジュールが、前記バッファレーンに配置され、または、前記加工位置に先立ってバッファされることができ、前記付加製造装置から接続を立ち取り除かれたモジュールも蓄えることができるので、前記付加製造工程における稼働停止時間をさらに短縮することができる。各バッファは、前記加工位置に先立って少なくとも１つのモジュールを蓄えるバッファのための（前記ロード経路に沿った）ロードバッファとしてみなしてもよく、または、前記加工位置の後に続く少なくとも１つのモジュールを蓄えるバッファのための（前記アンロード経路に沿った）アンロードバッファとしてみなしてもよい。当然ながら、前記ロード経路およびアンロード経路は、バッファレーンとしても使用することができる。
【００２２】
前記プラントはさらに、複数の装置を備えてもよく、少なくとも２つの装置が直列に配置され、１つのレーンが２つの装置における２つの対応する加工位置を接続する。このようにして、第１装置の対応するレーンが、第２装置のレーンに接続され、種々のレーンまたは異なる前記モジュールが移動するレーンが、他の装置の各レーンに対応することができる。よって、各モジュールを前記レーンに沿って移動させることができ、前記第１装置での前記付加製造工程が終わった後に、例えば第２工程ステップが実行される別の装置に少なくとも１つの前記モジュールを移動させることができる。前記モジュールが少なくとも１つの他の装置において前記加工位置に到達する前に前記少なくとも１つの他の装置で実行される付加製造工程のために、各モジュールを用意することもできる。
【００２３】
前記プラントは、複数の装置を備えてもよく、少なくとも２つの装置を平行に配置することもできる。したがって、少なくとも２つの、特に複数の装置を平行に、および／または、直列に配置することができる。各装置は、少なくとも１つの、好ましくは少なくとも３つのレーンを備え、対応する前記モジュールが前記レーンを移動することができる。複数の装置を並列に配置することで、複数の前記付加製造工程を、例えば大規模製造で同時に実行することができる。
【００２４】
本発明の前記プラントの少なくとも１つの前記装置は、少なくとも１つの前記レーンを介して、少なくとも１つの前処理装置、および／または、少なくとも１つの後処理装置に接続されてよく、少なくとも１つの前記モジュールが、少なくとも１つの前記レーンに沿って、前記前処理装置および／または後処理装置から前記装置の加工位置に、および／または、前記装置の前記加工位置から前記前処理装置および／または後処理装置に、移動されることができる。これにより、前記付加創造工程のためのモジュールを用意することができ、例えば、ドーズモジュールは前記前処理装置において「新たな」造形材料で満たされる。前記前処理装置および／または後処理装置はまた、処理ステーションとして作ることができ、当該処理ステーションでは、硬化していない造形材料が、前記造形モジュールおよび／またはオーバーフローモジュールから取り除かれる。前記後処理装置において、前記造形モジュールから付加製造された物体を取り出すこともできる。当然ながら、前記モジュールの種類によって、前記前処理装置および／または後処理装置を適切に選択することができる。対応する前記モジュールが、前記前処理装置および／または後処理装置で処理された後に、前記モジュールを別の付加製造工程のために使用してもよい。
【００２５】
本発明の前記プラントの別の実施形態によれば、少なくとも１つの前処理装置および／または後処理装置が、直列に配置された２つの装置の間に配置されてもよい。このようにして、第１装置において加工位置を出るモジュールが、対応するレーンに沿って、前記前処理装置および／または後処理装置に移動される。前記モジュールは、例えば、ドーズレーンに沿って移動された前記ドーズモジュールのドーズチャンバーを補充したり、造形モジュールおよび／またはオーバーフローモジュールの前記チャンバーを空にしたりして、次の付加製造工程のために準備されることができる。
【００２６】
対応する前記モジュールが前記前処理装置および／または後処理装置を用いて処理された後、前記モジュールはさらに、前記レーンに沿って、対応するレーンによって接続された次の付加製造装置に移動させることができる。このようにして、複数の付加製造装置が直列に配置され、前記モジュールが、前記レーンの下流に配置され、次の付加製造装置で実行される、次にやってくる付加製造工程のために用意されるので、前記付加製造工程を改善することができ、すなわち、稼働停止時間を短縮することができ、前記モジュールは１つの前記付加製造装置から次の装置に移動され、前記モジュールは、前記前処理装置および／または後処理装置に移動されて処理されることで、対応する前記レーン上で、次の前記付加製造工程のために用意される。
【００２７】
本発明の前記プラントのさらなる改善点は、少なくとも１つの前記前処理装置および／または後処理装置が、新たなモジュールを供給し、使用済みのモジュールを放出するための１つの行路を備え、または、少なくとも１つの前記前処理装置および／または後処理装置が、新たなモジュールを提供するための１つの供給行路と、使用済みのモジュールを放出するための１つの放出行路とを備える点である。本実施形態によれば、前記前処理装置および／または後処理装置は、前記前処理装置および／または後処理装置を、後に続く三次元物体の付加製造装置に接続する前記レーンとは異なる行路を備えてもよい。前記行路は、前記前処理装置および／または後処理装置にモジュールを供給し、および／または、前記前処理装置および／または後処理装置からモジュールを放出するために使用される。
【００２８】
言い換えると、前記付加製造装置から前記レーンを介して取り出された前記モジュールは、前記前処理装置および／または後処理装置に移動させることができる。前記新たなモジュールは、前記行路を介して供給され、さらに前記レーンに沿って前記次の付加製造装置に向けて移動させることができ、また前記使用済みモジュールを、前記行路を介して放出することができる。前記前処理装置および／または後処理装置は、前記新たなモジュールを供給し、前記次の付加製造装置に向けて移動させるための前記レーンに移動させることができる供給行路を備えることもできる。さらに、前記使用済みモジュールを放出するための１つの独立した放出行路、すなわち、前記使用済みモジュールが前記前処理装置および／または後処理装置から放出される行路を備えてもよい。当然ながら、例えば前記モジュールの種類にしたがって、いくつかのモジュールを前記前処理装置および／または後処理装置で前処理および／または後処理して、その他のモジュールを前記「新たな」モジュールに置き換え、前記前処理装置および／または後処理装置から放出することもできる。
【００２９】
本発明の前記プラントの別の実施形態では、少なくとも１つの前記装置の少なくとも１つの実用（万能）ユニットを、少なくとも１つの前記レーンに隣接して配置してもよい。対応する前記実用ユニットは、前記装置の付加製造工程で使用される少なくとも１つのユニットを備え、例えば流れ生成装置および／またはフィルタユニット等が挙げられる。前記実用ユニットは、少なくとも１つの前記レーンに隣接して、例えば少なくとも１つの前記装置に隣接して配置することができる。このようにして、前記実用ユニットは、前記レーンに沿って移動する前記モジュールの進路内にはなく、前記付加製造工程で効率よく使用されるよう、前記装置の近くに配置されるとよい。
【００３０】
さらに、本発明は、エネルギー源により硬化させることができる造形材料の層を、連続的に層ごとに選択照射して硬化させる三次元物体の付加製造装置に関し、特に本発明の前記プラントのための付加製造装置であって、前述のように、少なくとも１つのモジュールが、前記付加製造装置に別々に接続されているか接続可能であり、少なくとも１つの前記モジュールが、前記付加製造装置に向けてロード方向に移動可能であり、且つ、前記付加製造装置から出てアンロード方向に移動可能であり、前記モジュールは、前記ロード方向に沿って加工位置に移動し、且つ、前記アンロード方向に沿って前記加工位置から移動し、前記ロード方向およびアンロード方向は、同じ方向に延びる方向成分を含む。
【００３１】
さらに、本発明は、少なくとも１つのプラントを稼働するための方法に関し、前記プラントは、エネルギー源により硬化させることができる造形材料の層を、連続的に層ごとに選択照射して硬化させる、少なくとも１つの三次元物体の付加製造装置を備え、前記プラントは、前記付加製造装置に別々に接続されるか接続可能な少なくとも１つのモジュールを備え、前記少なくとも１つのモジュールは、前記付加製造装置内へ向かうロード方向、および、前記付加製造装置から出るアンロード方向に移動可能か移動され、前記モジュールは、前記ロード方向に沿って加工位置に移動し、且つ、前記アンロード方向に沿って前記加工位置から移動し、前記ロード方向およびアンロード方向は、同じ方向に延びる方向成分を含む。
【００３２】
当然ながら、本発明のプラントについて説明するすべての詳細、特徴および利点は、本発明の付加製造装置および本発明の方法に完全に転用可能である。好ましくは、前記本発明の方法は、少なくとも１つの前記本発明の付加製造装置を使用した前記本発明のプラントで実行することができる。当該方法を実行するために、前記プラントは、少なくとも１つのモジュールの移動を調整する制御ユニット、特に複数の前記モジュールの移動を調整する制御ユニットを備えてもよい。
【図面の簡単な説明】
【００３３】
【図１】本発明の付加製造装置を示す模式図である。
【図２】本発明のプラントを示す模式図である。
【図３】本発明の付加製造装置を示す模式図である。
【発明を実施するための形態】
【００３４】
本発明の典型的な実施形態について図面を参照して説明する。
【００３５】
図１は、エネルギー源により硬化させることができる造形材料の層を、連続的に層ごとに選択照射して硬化させる三次元物体の付加製造装置１を示す。図１に示す実施形態では、図２に対して以下で説明するように、付加製造装置１が、複数の三次元物体付加製造装置１を備えるプラント２に含まれる。
【００３６】
付加製造装置１は３つのレーン３，４，５に接続され、モジュール６が、レーン３，４，５に沿って、付加製造装置１に移動し、付加製造装置１から移動する。特に、各レーン３，４，５は、ロード経路７と、アンロード経路８とを備え、ロード経路７はロード方向９に延び、アンロード経路８はアンロード方向10に延びる。典型的な本実施形態では、レーン３，４，５は隣接して並列配置に配置され、ロード経路７およびアンロード経路８に対するロード方向９およびアンロード方向10は、すべてのレーン３，４，５に対して同じである（任意）。
【００３７】
図１からさらに導かれるように、モジュール６は、ロード経路７を介して、付加製造装置１の外側から前記付加製造装置１内、特に加工位置11に移動させることができる。加工位置11の対応するモジュール６とともに、付加製造工程を前記付加製造装置１で実施することができる。例えば、レーン３に沿って移動させるモジュール６は、ドーズモジュール12として形成してよい。したがってレーン３は、「ドーズレーン」としてみなすこともできる。レーン４上を移動させるモジュール６は造形モジュール13としてみなすことができ、レーン５に沿って移動させるモジュール６はオーバーフローモジュール14としてみなすことができる。したがって、レーン４は「造形レーン」であり、レーン５は「オーバーフローレーン」である。
【００３８】
ロード経路７とアンロード経路８は、典型的な本実施形態では、１８０°の角度を示す。当然ながら、ロード経路７はロード方向９に沿って延び、アンロード経路８はアンロード方向10に沿って延びるので、前記ロード方向９とアンロード方向もまた、同じ角度を示す。図１はさらに、モジュール６が、付加製造装置１から取り出される方向と同じ方向で付加製造装置１に挿入されるので、モジュール６がレーン３，４，５に沿って流れる流れ方向が、一方向であることを示す。このようにして、「新たな」モジュールはすでに、レーン３，４，５に沿って、特にロード経路７に沿って、付加製造装置１に向けて移動されており、一方で、使用済みモジュール６が、アンロード経路８に沿って、付加製造装置１から取り出される。
【００３９】
プラント２は、ロードバッファ16およびアンロードバッファ17をさらに備えてもよく、各バッファ16，17は、付加製造装置１より前に、特に付加製造装置１の加工位置11より前に（ロードバッファ16）、または、付加製造装置１の前記加工位置11の後に続いて（アンロードバッファ17）、少なくとも１つのモジュール６を蓄えるように構成される。このようにして、各モジュール６は、付加製造工程より前に蓄えられることができ、前記付加製造工程が終了したときに、次の付加製造工程または処理ステップを実行するために必要なモジュール６が特にロード経路７上にすでに配置され、加工位置11内に移動される。
【００４０】
同様に、前記付加製造工程が終了した後に、各モジュール６がアンロードバッファ17に配置され、以下で図２に対して説明するように、各前処理装置および／または後処理装置18に移動される。図２に示す典型的な実施形態に係るプラント２は、複数の付加製造装置１を備え、見本として、３つの付加製造装置１が並列に配置され、２つの付加製造装置１が直列に配置されている。レーン３，４，５は、直列に配置された前記付加製造装置１に接続され、付加製造装置１のレーン３は、レーン３の下流に配置された付加製造装置１の対応するレーン３に接続される。当然ながら、他の付加製造装置１の対応するレーン４，５に接続するレーン４，５についても同じことが適用される。
【００４１】
直列に配置された２つの付加製造装置１の間で、モジュールを前処理および／または後処理するように構成される前処理装置および／または後処理装置18が配置される。言い換えると、前記付加製造装置１から取り出される前記モジュール６は、前記前処理装置および／または後処理装置18に向けて、前記レーン３，４，５に沿って移動される。
【００４２】
このようにして、前記モジュール６は前記前処理装置および／または後処理装置18に供給される。前処理装置および／または後処理装置18は例えば、ドーズモジュール12のドーズチャンバーを補充するように構成してもよいし、例えば硬化していない造形材料および／またはその前の付加製造工程で付加造形された物体を取り除くことにより、造形モジュール13および／またはオーバーフローモジュール14を後処理するように構成してもよい。モジュール６が前処理および／または後処理された後、当該モジュール６は、次の付加製造工程を実行するために、前記前処理装置および／または後処理装置18から対応するレーン３，４，５に沿って次の付加製造装置１に向けて移動させることができる。
【００４３】
前記前処理装置および／または後処理装置18はまた、行路、特に供給行路および／または放出行路を備えてもよい（任意）。当該供給行路および／または放出行路19に沿って、前記モジュール６は、（矢印20で示すように）前処理装置および／または後処理装置18に向けて移動でき、前処理装置および／または後処理装置18から移動させることができる。したがって、新たなモジュール６が供給行路および／または放出行路19に挿入されて前処理されてレーン３，４，５に沿って次の付加製造装置１に移動され、または、モジュール６が供給行路および／または放出行路19を介して前処理装置および／または後処理装置18から取り除かれる。
【００４４】
言うまでもなく明らかなように、任意の数の前記付加製造装置１が並列および／または直列に配置されてよい。さらに、前記前処理装置および／または後処理装置18の組み合わせおよび／または使用が実現可能である。前記レーン３，４，５上の前記モジュール６の移動方向も任意である。例えば、レーン３上のモジュール６を反対方向に移動させてもよく、レーン４およびレーン５上のモジュール６も同様であり、または、異なるレーン３，４，５上を動く単独のモジュール６の移動方向のその他の任意の組み合わせとしてもよい。前記レーン３，４，５は、少なくとも１つの湾曲部分を備えることができ、および／または、角度15が１８０°からそれてもよい。角度15は、各レーン３，４，５で異なることができ、または、他のレーン３，４，５と比較して少なくとも１つ以上のレーン３，４，５で異なってもよい。
【００４５】
また、前記付加製造装置１は、流れ生成ユニットやフィルタユニット等の付加製造装置１の機能的要素またはユニットを備える実用ユニット21をさらに備えてもよい。前記プラント２は、各モジュール６の移動、および、各付加製造装置１で実行される操作を制御するように構成される制御ユニット（図示せず）をさらに備える。特に、各付加製造装置１で実行される付加製造工程であらかじめ定められた所定の順で対応するモジュール６をバッファ領域16にロードすることができる。バッファ領域16で計画されたモジュール６を操作することもできる。
【００４６】
したがって、付加製造工程を余裕をもって計画することができ、レーン３，４，５のバッファ領域16に各モジュール６を供給することができる。このようにして、付加製造装置１による付加製造工程が終了したら、次のモジュール６、特に次の三つ揃いモジュール12，13，14が、ロード方向19に沿って加工位置11にロードされる。よって、処理時間が節約され、三次元物体の全体の造形時間を短縮することができる。
【００４７】
図３は別の典型的な実施形態に係る付加製造装置１を示す。前記ロード方向９およびアンロード方向10は、見本として１８０°からそれた角度15を含む。したがって、モジュール６は、前述のように、ロード経路７に沿って加工位置11に向けて移動させ、当該加工位置11からアンロード経路８を介して前記付加製造装置１の外に移動させることができる。このようにして、図３は、モジュール６がロード経路７およびアンロード経路８に沿って移動される方向を示すベクトルとして理解することができるロード方向９およびアンロード方向10を示す等価図形として理解することができる。よって、前記ロード方向９およびアンロード方向10は角度15を含み、当然ながら、当該角度15は鈍角または鋭角として定義することができる。図３からさらに導き出せるように、前記ロード方向９およびアンロード方向10は、同じ方向に延びる方向成分22を備える。
【００４８】
当然ながら、本発明の方法は、本発明のプラント２で実行することができる。
【符号の説明】
【００４９】
１  付加製造装置
２  プラント
３，４，５  レーン
６  モジュール
７  ロード経路
８  アンロード経路
９  ロード方向
10  アンロード方向
11  加工位置
12  ドーズモジュール
13  造形モジュール
14  オーバーフローモジュール
15  角度
16  ロードバッファ
17  アンロードバッファ
18  処理位置
19  行路
20  矢印
21  実用ユニット
22  方向成分
【図１】
2019171847.tif 000003
【図２】
2019171847.tif 000004
【図３】
2019171847.tif 000005